(57)【要約】【課題】打設されたアンカープラグの期間をおいた後の再使用を可能にするアンカーキャップ１の提供。【解決手段】内面に雌ねじが形成されたアンカープラグ５２に、その開口部を閉止するように装着されるアンカーキャップ１であって、アンカープラグ５２の雌ねじ内部に挿入される本体２と、この本体２の基端部に形成され、上記アンカープラグ５２の外径より大きい径を有する頭部３とを備えており、少なくとも上記本体２が熱可塑性樹脂から構成されており、この本体２の周面に、先端から基端に向けて径が漸増するテーパ雄ねじが形成されており、この本体２が、上記アンカープラグ５２内部の雌ねじに密に螺着されるように構成されている。【選択図】図１
2011169034.tif 000002
【特許請求の範囲】
【請求項１】
内面に雌ねじが形成されたアンカープラグに、その開口部を閉止するように装着されるアンカーキャップであって、
アンカープラグの雌ねじ内部に挿入される本体と、
この本体の基端部に形成され、上記アンカープラグの外径より大きい径を有する頭部とを備えており、
上記本体が、先端側の小径部と、この小径部より基端側の大径部とを有しており、
この大径部が、上記アンカープラグ内部の雌ねじに密に螺着されるように構成されており、
上記頭部が回転操作用の係合部を有しているアンカーキャップ。
【請求項２】
少なくとも上記本体が熱可塑性樹脂から構成されており、この本体の周面に、先端から基端に向けて径が漸増する第一テーパ雄ねじが形成されている請求項１に記載のアンカーキャップ。
【請求項３】
上記第一テーパ雄ねじが先端から本体の中間まで形成されており、この第一テーパ雄ねじに連続して、基端に向けて径が漸減する第二テーパ雄ねじが形成されている請求項２に記載のアンカーキャップ。
【請求項４】
少なくとも上記本体が熱可塑性樹脂から構成されており、上記小径部が、本体の先端側に形成された、アンカープラグの雌ねじに螺号する雄ねじ部であり、上記大径部が、上記雄ねじ部より基端側に形成された第一テーパ部であり、この第一テーパ部の外径が、基端に向けて漸増し、アンカープラグの雌ねじの内径より大きい径に至る請求項１に記載のアンカーキャップ。
【請求項５】
少なくとも上記本体が熱可塑性樹脂から構成されており、上記小径部が、本体の先端側に形成された、アンカープラグの雌ねじの内径より小さく且つ近似した外径の円柱部であり、大径部が、上記円柱部より基端側に形成された第二テーパ部であり、この第二テーパ部の外径が、基端に向けて漸増し、アンカープラグの雌ねじの内径より大きい径に至る請求項１に記載のアンカーキャップ。
【請求項６】
上記頭部の本体側の面である下面に、本体の中心軸を中心とした円形の突条が形成されている請求項１から５のいずれかに記載のアンカーキャップ。
【請求項７】
壁面に打設されて使用されたアンカープラグを養生して再使用する壁繋ぎ金具取り付け方法であって、
上記アンカープラグが、その内面に雌ねじが形成されたアンカープラグであり、
このアンカープラグからボルトを除去する工程と、
このアンカープラグに対し、その開口部を閉止するようにアンカーキャップを装着して養生する工程と、
上記アンカープラグを再使用するに際して、アンカーキャップをアンカープラグから除去する工程と、
このアンカープラグにボルトを螺入して壁繋ぎ金具を取り付ける工程とからなり、
上記アンカーキャップが、
アンカープラグの雌ねじ内部に挿入される本体と、
この本体の基端部に形成され、上記アンカープラグの外径より大きい径を有する頭部とを備えており、
上記本体が、先端側の小径部と、この小径部より基端側の大径部とを有しており、
上記頭部が回転操作用の係合部を有している、壁繋ぎ金具取り付け方法。
【発明の詳細な説明】
【技術分野】
【０００１】
本発明は、建設現場等においてアンカーボルトを設置するときに使用されるアンカープラグを保護するためのアンカープラグ用キャップ（以下、アンカーキャップという）、及び、このアンカーキャップを用いた壁繋ぎ金具取り付け方法に関する。
【背景技術】
【０００２】
建物の建設時には足場が組まれる。図５に示されるように、通常、足場Ｆ（足場を構成するパイプのみを示す）が安定した状態で設置されるために、この足場Ｆがビルディング等の建築物の駆体に連結される。この連結のために、壁繋ぎ金具５１が用いられる。壁繋ぎ金具５１を建築物の壁面ＷＦに取り付けるために、建築物の壁Ｗにアンカープラグ（アンカーボルトの雌ねじ部とも呼ばれる）５２が打設され、このアンカープラグ５２に壁繋ぎ金具５１のボルト部５３が螺着される。ボルト部を有しない壁繋ぎ金具は、別途アンカーボルトによってアンカープラグ５２へ取り付けられる。このアンカープラグ５２は、図１も併せて参照すれば明らかなように、後端部に複数のスリット５４ａが形成された雌ねじ筒部５４と、雌ねじ筒部５４にその後端から挿入されたテーパーコーン５５とを有している。アンカープラグ５２は、壁Ｗに形成された下穴に打ち込まれることにより、その後端部が開かれる。その結果、アンカープラグ５２は壁Ｗ内に固定される。  
【０００３】
足場Ｆが撤去されるとき、壁繋ぎ金具５１のボルト部５３がアンカープラグ５２から取り外される。壁内に残った多数個のアンカープラグ５２の内部には、雨水侵入防止のために、作業者によって樹脂製のシール剤が埋め込まれる。このように、アンカープラグは壁内に埋め込まれたまま残留する。その後、塗装作業者によって、周囲外壁面とともにアンカープラグの露出部も同一色に塗装される。すなわち、シール目的とともに、アンカープラグの残留部を目立たなくする目的で、いわゆるタッチアップ処理がなされる。
【０００４】
マンション等に対して定期的に行われる大規模な修繕工事の際にも足場が組まれる。このときにもアンカープラグが必要となる。しかし、建設時に設けられたアンカープラグは再使用を前提とせずに埋め戻されている。しかも、タッチアップ処理のためにその埋設位置を見つけ出すことは困難である。たとえそれが見つけ出されても、シール剤が埋め込まれたアンカープラグは再使用が困難である。又は、その上からタイルが貼られている場合もある。従って、新たにアンカープラグを打設する必要がある。アンカープラグの打設時に発生する音は騒音の大きな要因となっている。建物の修繕のたびにアンカープラグを打設すれば、工事コストの上昇はもとより、騒音問題の拡大にもつながりかねない。
【０００５】
アンカーボルトによる壁繋ぎ金具の取り付け、及び、アンカーボルトの埋設に関しては特開２００５−１７１５９５公報及び特開平９−８８３３２公報に例示されている。
【先行技術文献】
【特許文献】
【０００６】
【特許文献１】特開２００５−１７１５９５公報
【特許文献２】特開平９−８８３３２公報
【発明の概要】
【発明が解決しようとする課題】
【０００７】
本発明は、上記課題を解決するためになされたものであり、打設されたアンカープラグを再使用可能とするためのアンカーキャップを提供すること、及び、このアンカーキャップを用いた工法を提供することをその目的としている。
【課題を解決するための手段】
【０００８】
本発明に係るアンカーキャップは、
内面に雌ねじが形成されたアンカープラグに、その開口部を閉止するように装着されるアンカーキャップであって、
アンカープラグの雌ねじ内部に挿入される本体と、
この本体の基端部に形成され、上記アンカープラグの外径より大きい径を有する頭部とを備えており、
上記本体が、先端側の小径部と、この小径部より基端側の大径部とを有しており、
この大径部が、上記アンカープラグ内部の雌ねじに密に螺着されるように構成されており、
上記頭部が回転操作用の係合部を有している。
【０００９】
かかる構成のアンカーキャップによれば、先端側の小径部から容易にアンカープラグ内に挿入され、次いで、ねじ込むことによってアンカープラグ内部の雌ねじに密に螺着される。頭部の係合部に工具等を係合させてねじ戻すことにより、キャップをアンカープラグから取り外すことができる。
【００１０】
上記アンカーキャップの、少なくとも本体が熱可塑性樹脂から構成され、この本体の周面に、先端から基端に向けて径が漸増する第一テーパ雄ねじが形成されているのが、ゆるみ防止の観点から好ましい。
【００１１】
上記第一テーパ雄ねじが先端から本体の中間まで形成され、この第一テーパ雄ねじに連続して、基端に向けて径が漸減する第二テーパ雄ねじが形成されていてもよい。
【００１２】
又は、上記アンカーキャップの、少なくとも上記本体が熱可塑性樹脂から構成され、上記小径部が、本体の先端側に形成された、アンカープラグの雌ねじに螺号する雄ねじ部であり、上記大径部が、上記雄ねじ部より基端側に形成された第一テーパ部であり、この第一テーパ部の外径が、基端に向けて漸増し、アンカープラグの雌ねじの内径より大きい径に至るものであってもよい。
【００１３】
又は、少なくとも上記本体が熱可塑性樹脂から構成されており、上記小径部が、本体の先端側に形成された、アンカープラグの雌ねじの内径より小さく且つ近似した外径の円柱部であり、大径部が、上記円柱部より基端側に形成された第二テーパ部であり、この第二テーパ部の外径が、基端に向けて漸増し、アンカープラグの雌ねじの内径より大きい径に至るものであってもよい。
【００１４】
上記頭部の本体側の面である下面に、本体の中心軸を中心とした円形の突条が形成されているのが、ガスケット等のシール部材を使用する上で効果的である。
【００１５】
本発明に係る壁繋ぎ金具取り付け方法は、
壁面に打設されて使用されたアンカープラグを養生して再使用する壁繋ぎ金具取り付け方法であって、
上記アンカープラグが、その内面に雌ねじが形成されたアンカープラグであり、
このアンカープラグからボルトを除去する工程と、
このアンカープラグに対し、その開口部を閉止するようにアンカーキャップを装着して養生する工程と、
上記アンカープラグを再使用するに際して、アンカーキャップをアンカープラグから除去する工程と、
このアンカープラグにボルトを螺入して壁繋ぎ金具を取り付ける工程とを含んでおり、
上記アンカーキャップが、
アンカープラグの雌ねじ内部に挿入される本体と、
この本体の基端部に形成され、上記アンカープラグの外径より大きい径を有する頭部とを備えており、
上記本体が、先端側の小径部と、この小径部より基端側の大径部とを有しており、
上記頭部が回転操作用の係合部を有している。
【発明の効果】
【００１６】
本発明に係るアンカーキャップは、アンカープラグへの装着及び取り外しが容易であり、アンカープラグ内部を密閉することが可能である。従って、アンカープラグの期間をおいた後の再使用も可能となる。その結果、工事コストの低減、騒音の軽減、省資源が期待できる。
【図面の簡単な説明】
【００１７】
【図１】図１（ａ）は、このアンカープラグに装着された、本発明に係るアンカーキャップの一実施形態を示す正面図であり、図１（ｂ）はその縦断面図である。
【図２】図２は本発明に係るアンカーキャップの他の実施形態を示す側面図である。
【図３】図３は本発明に係るアンカーキャップのさらに他の実施形態を示す側面図である。
【図４】図４は本発明に係るアンカーキャップの頭部の他の例を示す側面図である。
【図５】図５は本発明に係るアンカーキャップが適用されうるアンカープラグに、壁繋ぎ金具が取り付けられた状態を示す一部断面平面図である。
【発明を実施するための形態】
【００１８】
以下、適宜図面が参照されつつ、実施形態に基づいて本発明が詳細に説明される。
【００１９】
図１には、壁Ｗ内に打設され、壁繋ぎ金具５１（図５参照）が除去された後のアンカープラグ５２が示されている。このアンカープラグ５２には、その雌ねじ筒部５４に、アンカープラグ５２を養生するためのアンカーキャップ１が螺着されている。アンカーキャップ１は、アンカープラグ５２の雌ねじ筒部５４内に挿入される本体２と、この本体２の基端部に形成された頭部３とを備えている。
【００２０】
本実施形態のアンカーキャップ１は主に金属製のアンカープラグ５２に用いられる。このアンカーキャップ１は耐候性を有する合成樹脂から形成されている。適度の弾力性を有する熱可塑性樹脂が好ましい。その中でも、例えば、ポリカーボネート、ポリアセタール、ポリアミド等のいわゆるエンジニアリングプラスチックがさらに好ましい。
【００２１】
この頭部３は、アンカープラグ５２の外径より大きな直径を有する略円板状を呈している。頭部３の上面３ａは曲率半径の大きい部分球面状又はそれに類似した形状を呈している。かかるアンカーキャップ１は、壁面ＷＦに装着されたときに目立ちにくい。さらに、上面３ａ全体に、塗料が付着しやすいように、サンドブラスト等による梨地処理、ローレット掛け（ナーリング）による網目状加工等を施してもよい。
【００２２】
頭部３の下面３ｂは平面を呈している。本体２の中心軸が通る上面３ａの中央部には、六角レンチ用の係合部としての六角穴４が形成されている。六角穴４には限定されず、ドライバー用の＋溝（いわゆるプラス溝）、−溝（いわゆるマイナス溝）等が選択されてもよい。また、必要に応じて六角頭を頭部３の上面３ａの中央部に突設してもよい。上記六角穴４の対角を結ぶ直線の寸法は、図１に示すごとく、本体２の雄ねじの谷径より小さくされていてもよい。その場合には、六角穴４の底は本体２の内部に位置してもよい。
【００２３】
頭部３の下面３ｂには本体２及び頭部３と同心の円形突条５が形成されている。頭部３と壁面ＷＦとの間にガスケット等のシールリングＳが装着される場合には、円形突条５がシールリングＳに食い込むことにより、シール効果が向上する。なお、シールリングの形態に応じて、円形突条５に代えて円形凹部が用いられてもよく、円形突条５及び円形凹部が共に用いられてもよい。
【００２４】
上記本体２は先端から基端（頭部３側の端部）に向けて径が漸増するテーパ状に形成されている。本体２の長さはアンカープラグ５２の雌ねじ部の長さに応じて決定される。本体２の外周面には、アンカープラグ５２の雌ねじに螺合しうるテーパ雄ねじが形成されている。本体２全体がテーパ雄ねじ部といえる。本体の先端側が小径部であり、この小径部より基端側が大径部となっている。このテーパ雄ねじは、本体２の基端である本体２と頭部３との連続点からわずかな距離の範囲（例えば、２ｍｍ〜１０ｍｍ程度）Ａでは、アンカープラグ５２の雌ねじの谷径よりわずかに大きい外径を有している。しかし、アンカーキャップ１は、適度の弾力性を有しているため、アンカープラグ５２にねじ込まれたとき、頭部３の下面３ｂが壁面ＷＦに近接するか当接するまで螺入しうる。その結果、シールリングＳは十分なシール作用を奏するように、頭部３の下面３ｂと壁面ＷＦとによって圧せられる。なお、本体２の基端における雄ねじの外径、及び、上記範囲Ａは、選択されたアンカーキャップ１の材質に応じて決定すればよい。
【００２５】
図２には他のアンカーキャップ１１が示されている。このアンカーキャップ１１も図１のアンカーキャップ１と同じ材質から形成されている。アンカーキャップ１１の頭部３は、図１のアンカーキャップ１の頭部３と同一の形状及び同一の構造を有している。しかし、本体１２にはねじが形成されていない。この本体１２は、先端側の外径一定の円柱部１３と、円柱部１３に連続した基端側のテーパ部１４とを有している。円柱部１３が小径部であり、テーパ部１４が大径部である。
【００２６】
上記円柱部１３は、アンカープラグ５２の雌ねじの内径よりわずかに小さい外径を有しており、アンカーキャップ１１をアンカープラグ５２に装着する際の案内部としての役割を果たす。円柱部１３の先端の周縁は、アンカープラグ５２内に挿入しやすくするために、面取りがなされたり、アールが取られるのが好ましい。上記テーパ部１４の先端は円柱部１３と同じ外径にされている。テーパ部１４の基端の外径は、アンカープラグ５２の雌ねじの内径よりも大きい径にされている。例えば、上記谷径と上記内径との中間の径、上記谷径と同一外径、又は、上記谷径よりわずかに大きい径とされる。テーパ部１４の長さは約５ｍｍ〜１０ｍｍ程度にされるのが好ましい。なお、テーパ部１４の基端における外径、及び、テーパ部１４の長さは、選択されたアンカーキャップ１の材質に応じて決定すればよい。
【００２７】
このアンカーキャップ１１は、まず上記円柱部１３がアンカープラグ５２の内部に挿入され、次いで、ねじ込まれる。そうすると、上記アンカープラグ５２の雌ねじによってテーパ部１４の外周面にねじが切られるか、又は、上記雌ねじがテーパ部１４に食い込んでテーパ部１４の表面部がねじ状に塑性変形させられる。その結果、本体１２がアンカープラグ５２の雌ねじに密に螺着される。
【００２８】
図３にはさらに他のアンカーキャップ１６が示されている。このアンカーキャップ１６も前述のアンカーキャップ１、１１と同じ材質から形成されている。アンカーキャップ１６の頭部３は、前述の頭部３と同一の形状及び同一の構造を有している。しかし、本体１７は、先端側のストレートねじ部１８と、ストレートねじ部１８に連続した基端側のテーパ部１９とを有している。このストレートねじ部１８には、アンカープラグ５２の雌ねじに適正に螺合しうる雄ねじが形成されている。ストレートねじ部１８が小径部であり、テーパ部１９が大径部である。
【００２９】
上記テーパ部１９の外周面にはねじは形成されていない。テーパ部１９の先端は、ストレートねじ部１８の雄ねじの谷径、外径又はそれらの間の寸法と同じ外径にされている。テーパ部１９の基端の外径は、アンカープラグ５２の雌ねじの内径よりも大きい径にされている。例えば、上記谷径と上記内径との中間の径、上記谷径と同一外径、又は、上記谷径よりわずかに大きい径とされる。テーパ部１９の長さは約５ｍｍ〜１０ｍｍ程度にされる。なお、テーパ部１９の基端における外径、及び、テーパ部１４の長さは、選択されたアンカーキャップ１の材質に応じて決定すればよい。
【００３０】
このアンカーキャップ１６では、上記ストレートねじ部１８がアンカープラグ５２の内部に螺入され、そのまま続けてねじ込まれる。そうすると、上記アンカープラグ５２の雌ねじによってテーパ部１９の外周面にねじが切られるか、又は、ねじ状に塑性変形させられる。その結果、本体１６がアンカープラグ５２の雌ねじに密に螺着される。
【００３１】
図２及び図３に示されたアンカーキャップ１１、１６のいずれも、そのテーパ部１４、１９は頭部３との連続点にまで至っている。しかし、かかる構成には限定されない。例えば、テーパ部１４、１９の基端と頭部３との間にわずかな長さの円柱部を介在させてもよい。この円柱部の外径は、前述したテーパ部１４、１９の基端の外径と同じであり、アンカープラグ５２の雌ねじの内径よりも大きい径とされる。
【００３２】
図示していないが、図２及び図３に示されたアンカーキャップ１１、１６において、その大径部を、テーパ部１４に代えて、基端に向けて径が漸増する部分紡錘形状にされたものでもよい。具体的には、その縦断面が、鋭角に開くテーパ部ではなく、楕円又は長円の部分のごとくわずかに外方へ膨らんだ形状である。この部分紡錘形部の基端の外径は、アンカープラグ５２の雌ねじの内径よりも大きい径にされる。
【００３３】
図示していないが、図３のアンカーキャップ１６のテーパ部１９の外周面にテーパ雄ねじが形成されたものでもよい。すなわち、本体の全長にわたって総ねじである。この場合、そのテーパ雄ねじ部の先端、つまりストレートねじ部との連続部におけるねじは、ストレートねじ部の雄ねじとほぼ同一のねじにされる。テーパ雄ねじ部の基端における雄ねじの外径は、アンカープラグ５２の雌ねじの谷径よりわずかに大きい寸法とされる。このアンカーキャップも、そのストレートねじ部がアンカープラグ５２の内部に螺入され、そのまま続けてねじ込まれ、アンカープラグ５２の雌ねじに密に螺着される。
【００３４】
図示していないが、本体の先端側の小径部が、基端に向けて径が漸増するテーパ部又はテーパねじ部から構成され、その基端側の大径部が、上記テーパ部又はテーパねじ部の最大径と同一外径を有する円柱部又はストレートねじ部から構成されたものでもよい。この場合、上記円柱部の外径はアンカープラグ５２の雌ねじの内径よりも大きい径とされ、ストレートねじ部のねじは、アンカープラグ５２の雌ねじの谷径よりわずかに大きい外径を有するものとされる。
【００３５】
また、図示していないが、本体の先端から中間の位置までは、先端から基端に向けて径が漸増するテーパ雄ねじ部とされ、当該中間位置から基端までは、基端に向けて径が漸減するテーパ雄ねじ部とされたものでもよい。また、本体の全体が紡錘形を呈しており、その外周面に雄ねじが形成されたものでもよい。すなわち、いずれの本体も、先端側が小径部であり、この小径部の基端側である中間部が大径部である。これらいずれのアンカーキャップも、本体の最大径部である中間位置における雄ねじは、外径がアンカープラグ５２の雌ねじの谷径よりわずかに大きい寸法とされる。この最大径部がアンカープラグ５２の雌ねじに密に螺合されて、アンカーキャップのゆるみ止めの効果を奏する。
【００３６】
以上説明したアンカーキャップによれば、アンカープラグ５２の雌ねじに密に螺着され、ゆるみが防止される。しかも、密に螺合した雌ねじと雄ねじとにより、シール作用も奏される。その結果、アンカープラグ５２内への雨水等の侵入が防止される。
【００３７】
図４には、前述した各アンカーキャップの頭部３とは異なる頭部２３が示されている。この頭部２３は、前述した各アンカーキャップの頭部として用いることができる。この頭部２３は、タイルＴ張り壁面に好適なものである。頭部２３の形状は、タイルＴの厚さｔ２とほぼ同一の厚さｔ１を有する円板状にされている。この頭部２３のその他の構成は図１から図３に示された頭部３と同じであるから、同一部材には同一符号を付してその説明を省略する。
【００３８】
一般的に、タイル張り壁面にアンカープラグを打設する際には、タイルが必要最小限の範囲だけ切除される。その範囲ではモルタルが露出する。このモルタル面に打設されたアンカープラグ５２に、上記頭部２３を有するアンカーキャップが装着される。その上で、頭部２３の上面２３ａに周囲のタイルと同一色の塗装をすると、周囲のタイルとアンカーキャップの頭部２３との段差がほとんど無いので、アンカーキャップが目立たない。
【００３９】
以上説明したアンカーキャップは以下のように使用される。まず、図５に示された壁繋ぎ金具５１のボルト部５３を除去し、壁繋ぎ金具５１を足場Ｆ及び壁面ＦＷから取り外す。次いで、図１に示すように、アンカーキャップ１（もちろん、前述した他のアンカーキャップでもよい）の本体２を、シールリングＳを介装した上でアンカープラグ５２に螺入する。その際、六角レンチ等の工具が用いられる。螺入時のアンカーキャップ１のねじ込みトルクは漸増する。アンカーキャップ１の本体２はアンカープラグ５２の雌ねじに密に螺着される。その結果、ゆるみ止めの効果が生じると共に、アンカープラグ５２の内部の外部に対する密封効果が生じる。予め、アンカーキャップ１の頭部上面３ａに、周囲壁面と同様の色の塗装を施しておけば、装着後の塗装の手間が省ける。
【００４０】
期間経過後に上記アンカープラグ５２を再使用する場合、六角レンチ等の工具によってアンカーキャップ１を除去する。除去後のアンカーキャップ１及びシールリングＳは、再使用することが意図されていないため、破損していてもかまわない。次いで、図５に示すように、上記アンカープラグ５２に壁繋ぎ金具５１のボルト部５３を螺着することによって壁繋ぎ金具５１を壁面ＦＷに取り付ける。壁繋ぎ金具５１を、その長さを調節しながら足場Ｆに連結する。
【００４１】
以上説明した実施形態のアンカーキャップは、いわゆる雌ねじアンカーに適用される。また、上記実施形態のアンカーキャップでは、その全体が合成樹脂から形成されている。しかし、インサート成型等により、本体の外表面のみが合成樹脂から形成され、頭部と本体の芯部が金属等から形成されたものでもよい。
【産業上の利用可能性】
【００４２】
以上説明されたアンカーキャップは、壁面に打設されたアンカープラグの期間をおいた後の再使用を可能にする。従って、ビルディング等の大規模修繕等に有用である。
【符号の説明】
【００４３】
１・・・アンカーキャップ
２・・・本体
３・・・頭部
４・・・六角穴
５・・・円形突条
１１・・・アンカーキャップ
１２・・・本体
１３・・・円柱部
１４・・・テーパ部
１６・・・アンカーキャップ
１７・・・本体
１８・・・ストレートねじ部
１９・・・テーパ部
５１・・・壁繋ぎ金具
５２・・・アンカープラグ
５３・・・（壁繋ぎ金具の）ボルト部
５４・・・雌ねじ筒部
５５・・・テーパーコーン
Ｆ・・・足場
Ｓ・・・シールリング
Ｔ・・・タイル
Ｗ・・・壁
ＷＦ・・・壁面
【図１】
2011169034.tif 000003
【図２】
2011169034.tif 000004
【図３】
2011169034.tif 000005
【図４】
2011169034.tif 000006
【図５】
2011169034.tif 000007